(57)【特許請求の範囲】
【請求項１】
嵌合溝を内面側に有する一対の側枠と、その一対の側枠の嵌合溝内に両端部が嵌合されて側枠の上端部に両端がねじ止めされる上部横桟と、一対の側枠の嵌合溝内に両端部が嵌合されて側枠の下端部に両端がねじ止めされる下部横桟と、上記側枠の嵌合溝に両側部が挿入される新聞背受台、インターホン支持台、照明灯支持台および室名札取付台とから成り、前記各種の台の幅寸法が等しくされ、前記側枠が新聞背受台と対応する長さのもの、インターホン支持台、照明灯支持台および室名札取付台の一種又は数種と新聞背受台とを上下方向に配置した組合わせ長さに相当する長さの数種が用意され、その各種の側枠に上記新聞背受台とで新聞受けを形成する底板および受桟の取付け用ビス挿入孔を形成したエントランスボックス。
【発明の詳細な説明】
【０００１】
【産業上の利用分野】
この発明は玄関の袖に取付けられるエントランスボックスに関するものである。
【０００２】
【従来の技術とその問題点】
上記エントランスボックスとして、新聞受けやその新聞受け上にインターホン取付部と室名札取付部の一方又は両方を設けたもの、あるいはそれらに照明灯取付部を設けたもの等が存在する。
【０００３】
ところで、従来は、各種のエントランスボックスを個別に製作していたので、製作に手間がかかり、コスト的に不利であると共に、在庫のために大きなスペースを確保しなければならないという不都合があった。
【０００４】
【発明の課題】
この発明の課題は、共通部品を使用して組合わせを変えることによって数種のエントランスボックスを簡単に製作できるようにしてコストの低減と在庫スペースの縮小化を図ることである。
【０００５】
【課題を解決するための手段】
上記の課題を解決するために、この発明においては、嵌合溝を内面側に有する一対の側枠と、その一対の側枠の嵌合溝内に両端部が嵌合されて側枠の上端部に両端がねじ止めされる上部横桟と、一対の側枠の嵌合溝内に両端部が嵌合されて側枠の下端部に両端がねじ止めされる下部横桟と、上記側枠の嵌合溝に両側部が挿入される新聞背受台、インターホン支持台、照明灯支持台および室名札取付台とから成り、前記各種の台の幅寸法が等しくされ、前記側枠が新聞背受台と対応する長さのもの、インターホン支持台、照明灯支持台および室名札取付台の一種又は数種と新聞背受台とを上下方向に配置した組合わせ長さに相当する長さの数種が用意され、その各種の側枠に上記新聞背受台とで新聞受けを形成する底板および受桟の取付け用ビス挿入孔を形成した構成を採用している。
【０００６】
【作用】
この発明は上記のように、新聞背受台とから対応する長さの側枠、その新聞背受台とインターホン支持台、照明灯支持台および室名札取付台の一種又は数種を組合わせたものと対応する長さの側枠を用意したことにより、各種の台の組合わせと、その組合わせたものと対応する側枠および上下の横桟を用いて組立てを行なうことにより、各種のエントランスボックスを形成することができる。
【０００７】
【実施例】
以下、この発明の実施例を添付図面に基づいて説明する。
【０００８】
図９に示すように、この発明に係るエントランスボックスは、方形状の枠体１と、新聞背受台２０、インターホン支持台３０、照明灯支持台４０、室名札取付台５０とを備え、各種の台２０、３０、４０、５０の幅寸法はほぼ等しくされている。
【０００９】
図５に示すように、枠体１は、一対の側枠２と、その側枠２の上端部間に取付けられる上部横桟３と、側枠２の下端部間に取付けられる下部横桟４とを有し、上部横桟３および下部横桟４はねじ５の締付けにより、一対の側枠２に両端部が固定される。
【００１０】
上部横桟３および下部横桟４には取付片６がねじ７の締付けによって取付けられる。取付片６は壁面に当接される当接片６ａを有し、その当接片６ａに挿入孔８が設けられている。
【００１１】
上記取付片６は図２に示すように、上記挿入孔８に挿入されたビス９を壁面Ａに埋込まれたインサートａにねじ込んで締付けることにより壁面Ａに固定される。
【００１２】
取付片６および上下の各横桟３、４は、枠体１の上下部に嵌合するカバー１０によって隠蔽される。
【００１３】
前記側枠２の内面側には、その側枠２の長さ方向に延びる嵌合溝１１が形成され、その嵌合溝１１に前記新聞背受台２０、インターホン支持台３０、照明灯支持台４０および室名札取付台５０の両側部が嵌合し得るようになっている。
【００１４】
上記側枠２は、新聞背受台２０に相当する長さのもの、新聞背受台２０とインターホン支持台３０、照明灯支持台４０および室名札取付台５０の一種又は数種と組合わせた長さに相当する長さの数種のものが用意されている。
【００１５】
図１では、新聞背受台２０に相当する長さの側枠２が示され、図６では新聞背受台２０とインターホン支持台３０とを上下に配置した組合わせ長さに相当する側枠２が示されている。また、図７では新聞背受台２０、インターホン支持台３０および室名札取付台５０を上下方向に配置した組合わせ長さに相当するものが示され、図８では新聞背受台２０、インターホン支持台３０および照明灯支持台４０を上下に配置した組合わせ長さに相当するものが示されている。
【００１６】
さらに、図９では、新聞背受台２０、インターホン支持台３０、照明灯支持台４０および室名札取付台５０を上下に配置した組合わせ長さに相当するものが示されている。
【００１７】
なお、説明の都合上に、図１に示された側枠２を第１側枠、図６に示された側枠２を第２側枠、図７に示された側枠２を第３側枠、図８に示された側枠２を第４側枠、図９に示された側枠２を第５側枠と称する。
【００１８】
上記第１側枠２乃至第５側枠２のそれぞれには、新聞背受台２０とで新聞受けを形成する底板２１およびコの字形受桟２２の取付け用ビスを挿入するビス挿入孔１２が形成され、そのビス挿入孔１２に挿入されるビス１３の締付けによって側枠２に底板２１および受桟２２が固定される。
【００１９】
また、第４側枠２および第５側枠２の上部にはビス挿入孔（図示省略）が形成され、そのビス挿入孔に挿入するビス１４の締付けによって一対の側枠２間に照明カバー４３が取付けられる（図８参照）。
【００２０】
図５に示すように、新聞背受台２０は平板部２３の外周に周壁２４を設けた角皿状をなし、その周壁２４は側枠２の嵌合溝１１に嵌合し得るようになっている。
【００２１】
図６に示すように、インターホン支持台３０はインターホン取付板３１の外周にフランジ３２を設けた構成とされ、そのフランジ３２は側枠２の嵌合溝１１に嵌合し得るようになっている。
【００２２】
図８（II）に示すように、照明灯支持台４０はソケット支持板４１の外周に周壁４２を設けた構成とされ、その周壁４２は側枠２の嵌合溝１１に嵌合し得るようになっている。
【００２３】
図７（II）に示すように、室名札取付台５０は、平板部５１の外周にフランジ５２を設けた構成とされ、そのフランジ５２は側枠２の嵌合溝１１に嵌合し得るようになっている。平板部５１には複数の札板収納凹部５３が上下に設けられ、名札板収納凹部５３の開口部にその札板収納凹部５３に収納された札板５４の抜け止め用の突出縁５５が設けられている。
【００２４】
実施例では示すエントランスボックスは上記の構造から成り、このエントランスボックスは、第１側枠と新聞背受台２０の組合わせ、あるいは新聞背受台２０とインターホン支持台３０、照明灯支持台４０および室名札取付台５０の一種又は数種とを組合わせ、その組合わせたものと第２側枠乃至第５側枠の組合わせとによってエントランスボックスを形成する。
【００２５】
図１、図６乃至図９は各種のエントランスボックスを示す。
【００２６】
図１および図２は新聞受けから成るエントランスボックスを示す。そのエントランスボックスの形成に際しては、第１側枠２のビス挿入孔１２に挿入したビス１３の締付けによって一対の第１側枠２間に底板２１と受桟２２とを取付け、その第１側枠２の嵌合溝１１に新聞背受台２０の両側部を嵌合したのち、一対の第１側枠２の上部間および下部間に取付片６が取付けられた上部横桟３および下部横桟４を取付けて枠体１を形成し、その枠体１の上下部にカバー１０を嵌合する。
【００２７】
図６は、新聞受けとインターホン支持台３０とから成るエントランスボックスを示す。このエントランスボックスの形成に際しては、第２側枠２を用い、一対の第２側枠２間に底板２１および受桟２２を取付けたのち、第２側枠２の嵌合溝１１に新聞背受台２０およびインターホン支持台３０の両側部を嵌合し、その一対の第２側枠２の上端部間および下端部間に取付片６が取付けられた上部横桟３および下部横桟４を取付けて枠体１を形成し、その枠体１の上下部にカバー１０を取付ける。
【００２８】
図７は、新聞受け、インターホン支持台３０および室名札取付台５０から成るエントランスボックスを示す。このエントランスボックスの形成に際しては、第３側枠２を用い、底板２１および受桟２２が取付けられた一対の第３側枠２の嵌合溝１１に新聞背受台２０、インターホン支持台３０および室名札取付台５０を嵌合し、一対の第３側枠２の上部間および下部間に上部横桟３および下部横桟４を取付けて枠体１を形成し、その枠体１の上下部にカバー１０を嵌合する。
【００２９】
図８は、新聞受け、インターホン支持台３０および照明灯支持台４０から成るエントランスボックスを示す。このエントランスボックスの形成に際しては、第４側枠２を用い、底板２１、受桟２２および照明カバー４３が取付けられた一対の第４側枠２の嵌合溝１１に新聞背受台２０、インターホン支持台３０および照明灯支持台４０の両側部を嵌合したのち、その一対の第４側枠２の上端部間および下端部間に上部横桟３および下部横桟４を取付けて枠体１を形成し、その枠体１の上部および下部にカバー１０を取付ける。
【００３０】
図９は、新聞受け、インターホン支持台３０、室名札取付台５０および照明灯支持台４０から成るエントランスボックスを示す。このエントランスボックスの形成に際しては、第５側枠２を用い、一対の第５側枠２の嵌合溝１１に新聞背受台２０、インターホン支持台３０、室名札取付台５０および照明灯支持台４０の両側部を嵌合し、一対の第５側枠２の上端部間および下端部間に上部横桟３および下部横桟４を取付けて枠体１を形成し、その枠体１の上下部にカバー１０と取付ける。
【００３１】
上記のように、側枠２として、新聞背受台２０と対応する長さのもの、その新聞背受台２０とインターホン支持台３０、照明灯支持台４０および室名札取付台５０の一種又は数種とを上下に配置した組合わせ長さに対応する長さの数種のものを用意したので、図示のような各種のエントランスボックスを形成することができる。
【００３２】
図５に示す新聞背受台２０は、角皿状のものを示したが、新聞背受台２０の形状はこれに限定されない。例えば、図１０に示すように、平板部２３の中央部を背面側にくぼませたものであってもよい。
【００３３】
図１１は、上記の新聞背受台２０の前側にカバー２５を設け、そのカバー２５の上部を第１側枠２に取付けられたヒンジ２６を中心に開閉自在に支持している。
【００３４】
【発明の効果】
以上のように、この発明においては、一対の側枠として、新聞背受台に対応する長さのもの、その新聞背受台とインターホン支持台、照明灯支持台および室名札取付台の一種又は数種の組合わせ長さに相当する数種のものを用意したので、上記各種の台の組合せと、その組合わせ長さに対応する長さの側枠および上下の横桟を用いることによって数種のエントランスボックスを形成することができ、各種のエントランスボックスを個々に製作する場合に比較してコスト的に有利であると共に、各種の部品を個別に保管することができるため、保管スペースの縮少化を図ることができる。
【００３５】
また、ねじ止めによる手段を介して組立てるため、組立てが容易であり、納期の短縮化も図ることができる。
【図面の簡単な説明】
【図１】この発明に係るエントランスボックスの一例を示す斜視図
【図２】同上の縦断側面図
【図３】図２のIII −III 線に沿った断面図
【図４】図２のIV−IV線に沿った断面図
【図５】同上の分解斜視図
【図６】（Ｉ）はこの発明に係るエントランスボックスの他の例を示す一部を省略した状態の斜視図、（II）は（Ｉ）のIV−IV線に沿った断面図
【図７】（Ｉ）はこの発明に係るエントランスボックスの他の例を示す一部を省略した状態の斜視図、（II）は（Ｉ）のVII −VII 線に沿った断面図
【図８】（Ｉ）はこの発明に係るエントランスボックスの他の例を示す一部を省略した状態の正面図、（II）は（Ｉ）のVIII−VII 線に沿った断面図
【図９】（Ｉ）はこの発明に係るエントランスボックスのさらに他の例を示す一部を省略した状態の正面図、（II）は（Ｉ）のIX−IX線に沿った断面図
【図１０】新聞受けから成るエントランスボックスの他の例を示す断面図
【図１１】新聞受けから成るエントランスボックスのさらに他の例を示す断面図
【符号の説明】
２  側枠
３  上部横桟
４  下部横桟
１１  嵌合溝
１２  ビス挿入孔
２０  新聞背受台
２１  底板
２２  受桟
３０  インターホン支持台
４０  照明灯支持台
５０  室名札取付台
【図１】
0003691107.tif 000002
【図２】
0003691107.tif 000003
【図３】
0003691107.tif 000004
【図４】
0003691107.tif 000005
【図５】
0003691107.tif 000006
【図６】
0003691107.tif 000007
【図７】
0003691107.tif 000008
【図８】
0003691107.tif 000009
【図９】
0003691107.tif 000010
【図１０】
0003691107.tif 000011
【図１１】
0003691107.tif 000012